(57)【要約】【課題】アイメイク用の三面鏡を備えていても、良好な操作性で化粧操作することが可能なアイメイク用化粧料容器を提供する。【解決手段】アイメイクのために縦向きに展開可能な三面の鏡面を有する三面鏡１に重ね合わせる配置で、三面鏡１の鏡面に沿って外側へ出し入れ自在に容器本体２を設けた。三面鏡１を正面に向けて顔を映している状態そのままで、正面の鏡板４ａと同じ方向を向いている容器本体２の上面２ａから化粧料Ｐを取って化粧を施す反復的な動作を行うことができ、良好な操作性で化粧をすることができる。【選択図】図１
2005261684.tif 000002
【特許請求の範囲】
【請求項１】
アイメイクのために縦向きに展開可能な三面の鏡面を有する三面鏡に重ね合わせる配置で、該三面鏡の鏡面に沿って外側へ出し入れ自在に容器本体を設けたことを特徴とするアイメイク用化粧料容器。
【発明の詳細な説明】
【技術分野】
【０００１】
本発明は、アイメイク用の三面鏡を備えていても、良好な操作性で化粧操作することが可能なアイメイク用化粧料容器に関する。
【背景技術】
【０００２】
従来、化粧料容器の中には、横向きに展開される三面鏡を有するものが知られている（例えば、特許文献１〜３参照）とともに、特に眼の上側や下側を見易くする目的で、例えば特許文献４に開示されているように、化粧料が収納される容器本体にヒンジを介して回動自在に連結されて当該容器本体を開閉する蓋体の表面に、縦向きに展開される三面鏡の正面鏡の背面を重ね合わせて取り付けるようにした化粧料容器も知られている。
【特許文献１】実開昭６２−７９１１号公報
【特許文献２】実開昭６２−７８８０７号公報
【特許文献３】特開２０００−１７５７３８号公報
【特許文献４】特開平１１−２９９５３９号公報
【発明の開示】
【発明が解決しようとする課題】
【０００３】
ところで、特許文献４に開示された化粧料容器では、化粧をする際、化粧操作を見るための三面鏡の反対側に蓋体を挟んで、化粧料を収納している容器本体が位置することになるため、三面鏡を正面に向けて化粧をする一方で、化粧具に化粧料を付着するときには手を回すなどして三面鏡を顔から逸らして容器本体を正面に向けなければならず、そしてまた三面鏡を元の位置に戻して顔を映すというように操作する必要があって、化粧をする際の操作性がよくないという課題があった。
【０００４】
本発明は上記従来の課題に鑑みて創案されたものであって、アイメイク用の三面鏡を備えていても、良好な操作性で化粧操作することが可能なアイメイク用化粧料容器を提供することを目的とする。
【課題を解決するための手段】
【０００５】
本発明にかかるアイメイク用化粧料容器は、アイメイクのために縦向きに展開可能な三面の鏡面を有する三面鏡に重ね合わせる配置で、該三面鏡の鏡面に沿って外側へ出し入れ自在に容器本体を設けたことを特徴とする。
【発明の効果】
【０００６】
本発明にかかるアイメイク用化粧料容器にあっては、アイメイク用の三面鏡を備えていても、良好な操作性で化粧操作することができる。
【発明を実施するための最良の形態】
【０００７】
以下に、本発明にかかるアイメイク用化粧料容器の好適な一実施形態を、添付図面を参照して詳細に説明する。本実施形態にかかるアイメイク用化粧料容器は基本的には、図１〜図３に示すように、アイメイクのために縦向きに展開可能な三面の鏡面を有する三面鏡１に重ね合わせる配置で、三面鏡１の鏡面に沿って外側へ出し入れ自在に容器本体２を設けて構成される。
【０００８】
三面鏡１は本実施形態にあっては、一端が開口されたスライド通路３を有する中空筒状に形成され、正面の鏡板４ａが取り付けられた中央鏡枠４と、この中央鏡枠４の下端縁に下側ヒンジ５を介して回動自在に設けられ、回動されて正面の鏡板４ａに向かい合わせて重ね合わされる下側の鏡板６ａが取り付けられた板状の下部鏡枠６と、中央鏡枠４の上端縁に上側ヒンジ７を介して回動自在に設けられ、回動されて下部鏡枠６の裏面に重ね合わされる上側の鏡板８ａが取り付けられた板状の上部鏡枠８とから構成される。特に、上側ヒンジ７は、中央鏡枠４上に下部鏡枠６を重ね合わせた状態で、当該下部鏡枠６上に上部鏡枠８を重ね合わせるために、下部鏡枠６の板厚相当の高さ寸法で形成される。そしてこの三面鏡１は、上側ヒンジ７および下側ヒンジ５により、中央鏡枠４に対し、上部鏡枠８を上側に、下部鏡枠６を下側に回動させて縦向きに展開させることが可能で、これによりアイメイクに便利なように三面の鏡板４ａ，６ａ，８ａが上下方向へ縦向きに配置されるようになっている。
【０００９】
この三面鏡１、具体的には正面の鏡板４ａが取り付けられた中央鏡枠４には、これに重ね合わせる配置で、容器本体２が設けられる。この容器本体２は、その上面２ａから窪ませて形成した複数の窪み部９を有する板状に形成され、これら窪み部９には、上面２ａから取り出すことができるように化粧料Ｐが充填され、また図示しない化粧具が収納される。そしてこの容器本体２は、中空筒状の中央鏡枠４のスライド通路３内に左右方向へ直線的にスライド移動自在に挿入され、中央鏡枠４内に収納された状態では正面の鏡板４ａ、ひいては三面鏡１に対してその外形寸法内に納まるように重ね合わせて配置されるとともに、スライド操作されることで、三面鏡１の鏡面、図示例にあっては正面の鏡板４ａの鏡面に沿って中央鏡枠４内部から外側へ向かって出し入れ自在となっている。そして引き出された状態では、化粧料Ｐなどを取り出すことができる容器本体２の上面２ａが正面の鏡板４ａと同じ方向に面するようになっている。なお、中央鏡枠４には、スライド通路３の開口位置に、容器本体２をスライド操作する際に当該容器本体２に指を掛けるための切り欠き部１０が形成されている。
【００１０】
本実施形態にかかるアイメイク用化粧料容器の作用について説明すると、化粧操作をする際には、上側ヒンジ７および下側ヒンジ５を介して中央鏡枠４に対し上部鏡枠８および下部鏡枠６をそれぞれ上側および下側に回動操作して縦向きに展開させることにより三面鏡１を開いて、眼の周りを映すことができるように手指で支えるとともに、切り欠き部１０に指を掛けて容器本体２をスライド操作することにより、中央鏡枠４から外側へ引き出すようにする。そして引き出した容器本体２の上面２ａから化粧具を手にとって化粧料Ｐを付着させることにより、三面鏡１を見ながら化粧操作を行うことができる。化粧操作が終わったときには、容器本体２をスライド操作してスライド通路３を介して中央鏡枠４内部に収納するとともに、三面鏡１を折り畳むようにすればよい。
【００１１】
以上説明したように本実施形態にかかるアイメイク用化粧料容器にあっては、中央鏡枠４に対して重ね合わせる配置で、かつ化粧料Ｐなどを取り出すことができる容器本体２の上面２ａを正面の鏡板４ａと同じ方向に向けて、当該中央鏡枠４内部から外側へ向かって正面の鏡板４ａの鏡面に沿って出し入れ可能にスライド自在に容器本体２を設けるようにしたので、従来のように三面鏡を正面に向けて化粧をする一方で、化粧具に化粧料を付着するときには手を回すなどして三面鏡を顔から逸らして容器本体を正面に向けるようにし、さらにまた三面鏡を元の位置に戻して顔を映すというような煩雑な操作を必要とせずに、三面鏡１を正面に向けて顔を映している状態そのままで、正面の鏡板４ａと同じ方向を向いている容器本体２の上面２ａから化粧料Ｐを取って化粧を施す反復的な動作を行うことができ、良好な操作性で化粧をすることができる。そして本実施形態にあっては、構造は非常に簡単である反面、化粧の操作性に対してきわめて顕著な改善を図ることができる。
【００１２】
本実施形態にあっては、下部鏡枠６を上部鏡枠８と中央鏡枠４との間に挟み込む重ね合わせの形態を例示しているが、上部鏡枠８を挟み込むようにしてもよい。また中央鏡枠４を中空筒状としているが、下部鏡枠６もしくは上部鏡枠８、さらには中央鏡枠４に加えてこれら上部鏡枠８および下部鏡枠６をも中空筒状に形成して、中央鏡枠４と同様にそれぞれに容器本体２を設けるようにしてもよい。
【００１３】
また、本実施形態にあっては、中央鏡枠４を中空筒状としてその内部に収納する形態で容器本体２を中央鏡枠４に重ね合わせて配置するようにしたが、容器本体２を中央鏡枠４内部に収納するのではなく、中央鏡枠４を板状に形成し、これら中央鏡枠４と容器本体２とをスライドレールを介して相対的にスライド自在に構成するようにして、中央鏡枠４の外側に容器本体２を重ね合わせて配置するようにしてもよい。上部鏡枠８および下部鏡枠６についても、同様に構成することができる。
【００１４】
また、上部鏡枠８もしくは下部鏡枠６に容器本体２を設けた場合には、容器本体２のスライド方向は左右方向に限らず、上方もしくは下方へ直線的にスライド自在に設けるようにしてもよい。
【００１５】
さらに、中央鏡板４に対する容器本体２のスライド動作は、ノック式ペンでよく知られている、スプリングで自動的にスライドさせるようにしたノック機構を用いてもよいことはもちろんである。
【図面の簡単な説明】
【００１６】
【図１】本発明にかかるアイメイク用化粧料容器の好適な一実施形態を示す斜視図である。
【図２】図１のアイメイク用化粧料容器の側断面図である。
【図３】図１のアイメイク用化粧料容器の使用状態を示す説明図である。
【符号の説明】
【００１７】
１  三面鏡
２  容器本体
【図１】
2005261684.tif 000003
【図２】
2005261684.tif 000004
【図３】
2005261684.tif 000005